(57)【要約】【課題】作業者が工具用安全索具の連結箇所に困ることがないようにした工具用安全索具を提供する。【解決手段】第１の連結具と、第２の連結具と、該第１の連結具が一端側に取り付けられるとともに、該第２の連結具が他端側に取り付けられた索具と、からなる工具用安全索具であって、前記索具は、前記第１の連結具が取り付けられる第１の取り付け部を有する第１の索具部と、前記第２の連結具が取り付けられる第２の取り付け部を有する第２の索具部と、から構成され、前記第１の索具部および前記第２の索具部の少なくとも何れか一方に、環状金具を取り付けたことを特徴とする、工具用安全策具。【選択図】図１
2017140670.tif 000002
【特許請求の範囲】
【請求項１】
第１の連結具と、第２の連結具と、該第１の連結具が一端側に取り付けられるとともに、該第２の連結具が他端側に取り付けられた索具と、からなる工具用安全索具であって、
前記索具は、
前記第１の連結具が取り付けられる第１の取り付け部を有する第１の索具部と、
前記第２の連結具が取り付けられる第２の取り付け部を有する第２の索具部と、
から構成され、
前記第１の索具部および前記第２の索具部の少なくとも何れか一方に、環状金具を取り付けたことを特徴とする、工具用安全策具。
【請求項２】
前記環状金具は、前記第１の取り付け部または前記第２の取り付け部に隣接する位置に取り付けられることを特徴とする、請求項１に記載の工具用安全索具。
【請求項３】
前記第１の取り付け部および前記前記第２の取り付け部の少なくとも何れか一方は、
作業者が装着する腰ベルトを通すことが可能な幅を有する環状に形成されることを特徴とする、請求項１または２に記載の工具用安全索具。
【発明の詳細な説明】
【技術分野】
【０００１】
本発明は、工事現場（主に高所）において作業を作業員が使用する工具用安全索具に関する。
【背景技術】
【０００２】
従来、作業者が高所で作業する際、工具が作業者側から落下するのを防止するようにした工具用安全索具には、作業者が装着する腰ベルトに連結される第１装着部と、工具に連結される第２装着部と、第１装着部と第２装着部とを連結する螺旋部とを備え、螺旋部を伸縮自在に構成することにより、作業者の作業効率を低下させることなく、安全に作業をすることを可能にしたものがある（例えば、特許文献１）。
【先行技術文献】
【特許文献】
【０００３】
【特許文献１】特開２０１２−２３２４０３号公報
【発明の概要】
【発明が解決しようとする課題】
【０００４】
しかしながら、作業者が使用する工具が多い場合には、作業者が装着する腰のベルトには多数の工具用安全索具が連結されるとともに、腰ベルトには工具用安全索具以外にも作業者が作業上に必要であると考える道具や所持品等が取り付けられることもあり、工具用安全索具の連結箇所に困るという問題があった。
【０００５】
そこで本発明は、上記の問題に鑑み、作業者が工具用安全索具の連結箇所に困ることがないようにした工具用安全索具を提供することを目的としている。
【課題を解決するための手段】
【０００６】
本発明における第１の発明に係る工具用安全索具は、第１の連結具と、第２の連結具と、該第１の連結具が一端側に取り付けられるとともに、該第２の連結具が他端側に取り付けられた索具と、からなる工具用安全索具であって、前記索具は、前記第１の連結具が取り付けられる第１の取り付け部を有する第１の索具部と、前記第２の連結具が取り付けられる第２の取り付け部を有する第２の索具部と、から構成され、前記第１の索具部および前記第２の索具部の少なくとも何れか一方に、環状金具を取り付けたことを特徴とする。
【０００７】
また本発明における第２の発明に係る工具用安全索具は、前記環状金具は、前記第１の取り付け部または前記第２の取り付け部に隣接する位置に取り付けられることを特徴とする。
【０００８】
また、本発明における第３の発明に係る工具用安全索具は、前記第１の取り付け部および前記前記第２の取り付け部の少なくとも何れか一方は、作業者が装着する腰ベルトを通すことが可能な幅を有する環状に形成されることを特徴とする。
【０００９】
また、本発明において、前記第１の索具部および前記第２の索具部の少なくとも何れか一方に、伸縮自在な芯材と該芯材を被覆する軟質被覆体とから構成される伸縮索具部を含み、前記軟質被覆体は、布部材で形成されるとともに、長手方向に亘って複数の突起部を形成するようにしてもよい。
【００１０】
また、本発明において、前記突起部は、前記芯材を挟んで蛇腹状の突起となるように形成するようにしてもよい。
【発明の効果】
【００１１】
本発明によれば、工具用安全索具に環状金具を取り付けたので、この環状金具を工具用安全索具の連結箇所として使用することにより、腰ベルトに対し連結できる工具用安全索具の数を増やすことが可能である。
【図面の簡単な説明】
【００１２】
【図１】本実施形態に係る工具用安全索具の全体図である。
【図２】本実施形態に係る工具用安全索具における第１の索具部を示す図である。
【図３】本実施形態に係る工具用安全索具における第２の索具部を示す図である。
【図４】本実施形態に係る工具用安全索具の使用例を示す図である。
【図５】本実施形態に係る工具用安全索具の使用例を示す図である。
【図６】本実施形態に係る工具用安全索具の使用例を示す図である。
【発明を実施するための形態】
【００１３】
以下、適宜図面を参照しつつ、本発明の工具用安全索具の実施形態について説明する。
【００１４】
図１は、本実施形態に係る工具用安全索具１の全体図である。
図１に示すように、工具用安全索具１は、第１の連結具２、第１の索具部３ａと第２の索具部３ｂからなる索具３、環状金具４、第２の連結具５、から構成されている。
【００１５】
図２は、本実施形態に係る工具用安全索具における第１の索具部を示す図である。
図２に示すように、第１の索具部３ａには、第１の連結具２が取り付けられる第１の取り付け部３１と、環状金具４が取り付けられる金具取り付け部３２とが形成されるとともに、互いに対向する索具同士を縫着する第１逢着部５１、第２縫着部５２、第３縫着部５３が形成されている。
なお、第１の連結具２は、主として作業者が装着する腰ベルトに備え付けられたＤ環等の連結金具に連結するための連結具として使用される。
【００１６】
第１の取り付け部３１に取り付けられる第１の連結具２は、連結対象である腰ベルトに設けられたＤ環等に対し、連結・離脱が容易な所謂カナビラやナスカンと呼ばれるフック金具２ａと、このフック金具２ａの軸を回転自在に支持する連結リング２ｂと、から構成される。
【００１７】
また、第１の取り付け部３１は、腰ベルトを通すことができる周長を有する環状に形成されている。そして、連結リング２ｂは、この周長の範囲内において移動自在に取り付けられている。
したがって第１の連結具２は、第１の取り付け部３１の周長の範囲内で移動自在である。
【００１８】
金具取り付け部３２は、第１の取り付け部３１に隣接して配置され、この金具取り付け部３２には、２重環で構成される環状金具４が取り付けられている。
なお、金具取り付け部３２は、環状金具４が索具３の長手方向における所定範囲（例えば１０ｍｍ）内で移動可能に余裕をもって形成されている。
【００１９】
図３は、実施形態に係る工具用安全索具における第２の索具部を示す図である。
図３に示すように、第２の索具部３ｂは、第２の連結具５が取り付けられる第２の取り付け部３３が形成されるとともに、互いに対向する索具同士を縫着する第４逢着部５４、第５縫着部５５が形成されている。
なお、第２の連結具５は主として工具を連結するための連結具として使用される。
【００２０】
第２の取り付け部３３に取り付けられる第２の連結具５は、フック金具５ａと連結リング５ｂとから構成される。このフック金具５ａと連結リング５ｂは、上述した第１の連結具１を構成するフック金具２ａ、連結リング２ｂと同様の部品である。
【００２１】
なお、第２の取り付け部３３は、上述した第２の取り付け部３１とは異なり、第２の取り付け部３３を構成する連結リング５ｂが回動できる程度の余裕しか持たせていない。
よって、第１の連結部２は移動自由度が高い連結部である一方、第２の連結部５は移動自由度が制限された連結部である。
【００２２】
ここで、索具３の構成について説明する。
索具３は、織布である１本の筒状袋と、この筒状袋内の長手方向の一部領域に挿入される伸縮部材である平ゴムと、から構成される。
そして、平ゴムが挿入される領域の筒状袋は、平ゴムを挟んで凹凸面（突起）が連続的に形成された略蛇腹状となっている。つまり、平ゴムの表面側の筒状袋が凸状に形成される箇所において、裏面側の筒状袋は凹状に形成されている。
なお、以下の説明においては、平ゴムが挿入されている領域の筒状袋を蛇腹筒状袋といい、この蛇腹状筒状袋以外の領域を筒状袋という。
本実施形態においては、第２の索具部３ｂにおける第２の取り付け部３３を除いたほぼ全域が蛇腹筒状袋により構成され、第２の取り付け部３３は筒状袋で構成されている。
一方、第１の索具部３ａは、その全域にわたって筒状袋により構成されている。
【００２３】
このように本実施形態の索具３は、筒状袋（第１の索具部３ａの全域）と、この筒状袋に続く蛇腹状袋（第２の索具３ｂの第２の取り付け部３３を除く領域）と、この蛇腹状袋に続く筒状袋（第２の索具３ｂの第２の取り付け部を除く領域）との組み合わせにより一体形成されている。
よって、索具３には蛇腹筒状袋を使用しているため、カール状の索具と比べて索具が絡みにくい構造となっている。
【００２４】
そして、第１の索具部３ａの筒状袋は、連結リング２ｂが取り付けられる箇所にて折り返され、折り返された筒状袋を第１縫着部５１にて対向する筒状袋と縫着することにより、第１の取り付け部３１が形成される。
また、折り返された筒状袋を第２縫着部５２と対向する筒状袋と縫着することにより、金具取り付け部３２が形成される（図２を参照）。
また、折り返された筒状袋を第３縫着部５３において、この筒状袋と対向する蛇腹筒状袋と縫着することにより蛇腹筒状袋内の平ゴムが固着される（図２を参照）。
【００２５】
第２の索具部３ｂの筒状袋についても第１の索具部３ａと同様に、第２の索具部３ｂの筒状袋はフック金具５ｂが取り付けられる箇所にて折り返され、折り返された筒状袋を第４縫着部５４にて対向する筒状袋と縫着することにより、第２の取り付け部３３が形成される（図３を参照）。
また、折り返された筒状袋を縫着部５５において、該筒状袋と対向する蛇腹筒状袋と縫着することにより蛇腹筒状袋内の平ゴムが固着される（図３を参照）。
【００２６】
次に実施形態に係る工具用安全索具１の使用例について説明する。
図４〜図６は、実施形態に係る工具用安全索具の使用例を示す図である。
まず、図４に示す使用例は、作業者の腰ベルト９に設けられたＤ環９１に、一本目の工具用安全策具１の第１連結具２のフック金具２ａを連結させるとともに、この一本目の工具用安全策具１の環状金具４に、二本目の工具用安全策具１の第１連結具２のフック金具２ａを連結して使用する例である。
このように使用することにより、一本目と二本目の工具用安全策具１の第２連結具５のフック金具５ａに工具等を連結することが可能となる。
したがって、作業者の腰ベルト９に対して連結できる工具用安全策具の数を増やすことが可能となる。
また、第１の取り付け部３１は腰ベルト９を通すことができる余裕をもった周長であるため、この第１の取り付け部３１に作業者の手袋等を狭持させたり、タオル等を掛けておいたりすることも可能である。
【００２７】
図５に示す使用例は、作業者の腰ベルト９に第１の取り付け部３１を通して使用する使用例である。
このように使用することにより、腰ベルト９に設けられたＤ環９１に工具用安全策具１を連結するスペースが確保できない場合であっても、腰ベルト９に対し工具用安全策具を連結することが可能となる。
また、作業者の腰ベルト９を通した第１の取り付け部３１に作業者のタオル等を掛けておくことが可能となる。
また、第１の連結具２は第１の取り付け部３１内を移動自在に取り付けているため、腰ベルト９１に対して第１の連結具２のフック金具２ａが下向きとなる。よって、この下向きになったフック金具２ａを作業者の所持品（鍵等）用のホルダーとして使用することが可能である。
【００２８】
図６に示す使用例は、例えば、作業者の腰ベルト９に第１の取り付け部３１をかけ回して、連結具２のフック金具２ａを環状金具４に係止している例である。
図５においては、腰ベルト９の工具用安全策具１の左右に、工具差しなどの障害物があると、これらの工具差しを、取外さないと装着が出来ない可能性がある。
それに対して、図６のような使用例では、腰ベルト９の工具用安全策具１の左右に、工具差しなどの障害物等が有っても取り付けられるのでより有利である。
さらに、障害物等を取り外す事なく腰ベルト９本体に、工具用安全策具１を容易に着脱する事が可能となる。
また、図４のようにＤ環９１が無い場合にも装着が可能となる。
なお、図４、図５及び図６に示した使用例は一例であって、工具用安全策具１の使用方法は、使用する作業者次第であることは言うまでもない。
【００２９】
次に、本発明に係る工具用安全策具１の変形例について説明する。
本実施形態において、環状金具４を第１の索具部３ａにのみ取り付けるようにしていたが、これに限らず、環状金具４を第２の索具部３ｂにのみ取り付けるようにしてもよい。また、環状金具４を第１の索具部３ａと第２の索具部３ｂの両方に取り付けるようにしてもよい。
【００３０】
また、本実施形態において、腰ベルト９を通すことが可能な周長は第１の取り付け部３１にのみ形成するようにしていたが、これに限らず、第２の取り付け部３３にのみ腰ベルト９を通すことが可能な周長を形成するようにしてもよい。また、第１の取り付け部３１と第２の取り付け部３３の両方に腰ベルト９を通ることが可能な周長を形成するようにしてもよい。
【００３１】
また、本実施形態において、蛇腹筒状袋内に挿入される伸縮部材として平ゴムを使用していたが、これに限らず、伸縮部材としてコイルスプリングを使用するようにしてもよい。
また、本実施形態において、筒状袋および蛇腹筒状袋に織布を使用していたが、これに限らず、不織布を使用するようにしてもよい。
また、蛇腹筒状袋は蛇腹状に限らず、筒状袋の表裏面に凹凸面が連続するように形成されていればよい。
【符号の説明】
【００３２】
１  工具用安全策具
２  第１の連結具
２ａ、５ａ  フック金具
２ｂ、５ｂ  連結リング
３  索具
３ａ  第１の索具部
３ｂ  第２の索具部
４  環状金具
５  第２の連結具
９  腰ベルト
３１  第１の取り付け部
３２  金具取り付け部
３３  第２の取り付け部
５１  第１縫着部
５２  第２縫着部
５３  第３縫着部
５４  第４縫着部
５５  第５縫着部
９１  Ｄ環
【図１】
2017140670.tif 000003
【図２】
2017140670.tif 000004
【図３】
2017140670.tif 000005
【図４】
2017140670.tif 000006
【図５】
2017140670.tif 000007
【図６】
2017140670.tif 000008